(57)【特許請求の範囲】
【請求項１】
伝送チャネルを介して受信されたビデオ情報を含む信号を処理するためのシステムにおいて、フィード・フォワード・フィルタである第１のフィルタおよびデシジョン・フィードバック・フィルタである第２のフィルタを有するイコライザを用いるチャネル等化方法であって、
同一チャネル干渉が存在するとき、前記同一チャネル干渉を取り除くためのコム・フィルタを前記イコライザ前方に挿入するステップ
を備え、さらに、
（ａ）初期ブラインド・オペレーティング・モードの期間に、受信した信号を前記第１のフィルタで初期等化するステップと、
（ｂ）その後、デシジョン・ダイレクテッド・オペレーティング・モードの期間に、前記受信した信号を前記第２のフィルタで等化するステップと、
（ｃ）前記初期ブラインド等化モードの期間に、前記第２のフィルタの所定のタップをゼロ値に設定するステップと
を備えることを特徴とするチャネル等化方法。
【請求項２】
前記所定のタップは、１２番目のタップであることを特徴とする請求項１に記載のチャネル等化方法。
【請求項３】
ステップ（ｃ）において、前記タップは、ゼロ値に設定され、かつ前記ブラインド・モードの期間に適応されないことを特徴とする請求項１に記載のチャネル等化方法。
【請求項４】
ステップ（ｃ）において、前記タップは、信号シンボルごとに適応されるが、その後ゼロ値に再設定されることを特徴とする請求項１に記載のチャネル等化方法。
【請求項５】
ステップ（ｃ）において、前記タップは、信号シンボルごとに適応されるが、いくつかのシンボルごとの後にゼロ値に再設定されることを特徴とする請求項１に記載のチャネル等化方法。
【請求項６】
前記ビデオ情報は、ＡＴＳＣ  ＨＤＴＶ標準に準拠する高精細度テレビジョン（ＨＤＴＶ）情報であることを特徴とする請求項１に記載のチャネル等化方法。
【請求項７】
ビデオ信号処理システムにおける装置であって、
同一チャネル干渉を取り除くためのコム・フィルタと、
初期ブラインド等化モードの期間に動作可能なフィード・フォワード・フィルタと、その後のデシジョン・ダイレクテッド・オペレーティング・モードの期間に動作可能なデシジョン・フィードバック・フィルタとを有するチャネル・イコライザであって、前記コム・フィルタからの出力信号に応答するチャネル・イコライザと
を備え、
前記第２のフィルタの所定のタップは前記ブラインド等化モードの期間にゼロ値に設定されることを特徴とする装置。
【請求項８】
前記ビデオ信号は、ＡＴＳＣ  ＨＤＴＶ標準に準拠する高精細度テレビジョン（ＨＤＴＶ）情報を含むことを特徴とする請求項７に記載の装置。
【請求項９】
前記所定のタップは、１２番目のタップであることを特徴とする請求項７に記載の装置。
【発明の詳細な説明】
【０００１】
【発明の属する技術分野】
本発明はデータ伝送に関する。本発明は、例えば、アドバンスト・テレビジョン・システム委員会（Advanced Television Systems Committee、ＡＴＳＣ）の残留側波帯（Vestigial Sideband、ＶＳＢ）標準に従って動作する受信器などの、高精細度テレビジョン（High-Definition Television、ＨＤＴＶ）のための受信器に関連して開示されるが、他の応用においても同様に有用であると考えられる。
【０００２】
【従来の技術】
受信信号からシンボル・ストリームの信頼性のある復元のための様々な方法および装置が知られている。一般に、そのような方法および装置は、シンボルが、いわゆるシンボル・コンスタレーション（constellation）における特定の点へ確実に写像されるように、受信信号を復調し、復調された信号を等化されていない（unequalized）シンボル・ストリームにアナログ／デジタル変換し、その後、そのシンボルがいわゆるシンボル・コンスタレーションと呼ばれる特定のポイントに確実にマップされるような方法で、シンボル・ストリームを等化することによって動作する。等化されたシンボルは、それから、コンスタレーションの複雑性に応じて、例えばビット・ペア、カルテット、シックステット、オクテットなどの複数のビット・グループに復号される。
【０００３】
【発明が解決しようとする課題】
そのような方法および装置において、等化プロセス自体は、典型的に適応的である。すなわち、等化されていないビット・ストリームが、その出力シンボル・ストリームをモニタする装置またはシステムに入力され、その出力シンボル・ストリームのポイント、シンボル・コンスタレーションのポイントに可能な限り近接するように、それ自身の伝達関数を適応させる。等化は、しばしば、いわゆるフィード・フォワード・イコライザ（Feed Forward Equalizer、ＦＦＥ）またはフィード・フォワード・フィルタ（Feed Forward Filter、ＦＦＦ）、およびデシジョン・フィードバック・イコライザ（Decision Feedback Equalizer、ＤＦＥ）またはデシジョン・フィードバック・フィルタ（Decision Feedback Filter、ＤＦＦ）の助けを借りて処理される。多くの状況において、適応等化プロセスは、少なくとも２つの段階または動作モードで処理される。受信機器の初期化の間、または例えばＨＤＴＶ受信器などの受信機器が他のチャネルへ変わるときに、時には処理されるこれらの段階の１つにおいて、イコライザは、Ｇｏｄａｒｄのコンスタント・モジュラス・アルゴリズム（Constant Modulus Algorithm、ＣＭＡ）などのアルゴリズムを用いる。例えば、Ｄ．Ｎ．Ｇｏｄａｒｄの「Ｓｅｌｆ−Ｒｅｃｏｖｅｒｉｎｇ  Ｅｑｕａｌｉｚａｔｉｏｎ  ａｎｄ  Ｃａｒｒｉｅｒ  Ｔｒａｃｋｉｎｇ  ｉｎ  Ｔｗｏ  Ｄｉｍｅｎｓｉｏｎａｌ  Ｄａｔａ  Ｃｏｍｍｕｎｉｃａｔｉｏｎ  Ｓｙｓｔｅｍ（２次元データ通信システムにおける自己復元等化およびキャリア・トラッキング）」、ＩＥＥＥ  Ｔｒａｎｓａｃｔｉｏｎｓ  ｏｎ  Ｃｏｍｍｕｎｉｃａｔｉｏｎ、Ｖｏｌ．ＣＯＭ−２８、ページ１８６７〜１８７５、１９８０年１１月を参照。それから、初期収束後、等化プロセスは他の段階に入り、他の段階において、イコライザ伝達関数は、デショジョン・ダイレクテッド・アルゴリズムなどの他のアルゴリズムを用いて連続して適応され、復号化されたシンボルを、シンボル・コンスタレーション上のポイントの近接範囲内に維持する。これらの段階の第１は、時にはブラインド段階（blind phase）と呼ばれ、第２は、デショジョン・ダイレクテッド（decision-directed）段階と呼ばれる。これらのタイプの方法および装置は、よく知られている。
アメリカ合衆国における高精細度テレビジョンに関して採用されたＡＴＳＣ  ＶＳＢ伝送システムにおいて、強い同一チャネルＮＴＳＣ干渉が検出されるとき、コム（comb）フィルタ２０（図１）が、受信器内のイコライザ２２（図１）の前に移される。Ｈｃ（ｚ）＝１−ｚ−１２の伝達関数を有するコム・フィルタ２０は、同一チャネルＮＴＳＣ干渉（映像および音声キャリア）を減衰する。イコライザ２２が感知する新しいチャネルは、コム・フィルタ２０でたたみこまれた元のチャネルである。コム・フィルタ２０がイコライザ２２の前に配置され、イコライザ２２タップｃ（ｎ）（ｎ＝０、１、２、・・）がＣＭＡを用いて適応されたとき、イコライザ２２は８レベル出力を作り出す。実際には、イコライザ２２は、イコライザ２２に先行するチャネルとコム・フィルタ２０とを等化する。イコライザ２２が、コム・フィルタ２０ではなく、チャネルだけを等化することによって、１５レベル出力を作り出すことが望ましい。
【０００４】
【課題を解決するための手段】
本発明の原理によれば、信号を等化するための装置は、第１および第２のフィルタを有するイコライザを含む。信号は、ブラインド動作モードの期間に、第１のフィルタで初期等化され、その後、デシジョン・ダイレクテッド動作モードの期間に第２のフィルタで等化される。第２のフィルタの所定のタップは、ブラインド等化モードの期間にゼロ値に設定される。
【０００５】
好ましい実施形態において、ＮＴＳＣ同一チャネル干渉（co-channel interference）を除くためのフィルタが、同一チャネル干渉が存在するとき、イコライザの前方に挿入される。
【０００６】
本発明は、以下の詳細な説明および添付の図面を参照すると、最もよく理解されることができる。
【０００７】
【発明の実施の形態】
上述したように、アメリカ合衆国におけるＡＴＳＣ  ＶＳＢ伝送システムにおいて、強い同一チャネルＮＴＳＣ干渉が検出されるとき、コム（comb）フィルタ２０（これは、Ｈｃ（ｚ）＝１−ｚ−１２の伝達関数を有し、同一チャネルＮＴＳＣ干渉（映像および音声キャリア）を減衰する、イコライザ２２タップｃ（ｎ）（ｎ＝０、１、２、・・）がＣＭＡを用いて適応されたとき、イコライザ２２は８レベル出力を作り出す。実際には、イコライザ２２は、イコライザ２２に先行するチャネルとコム・フィルタ２０とを等化する。イコライザ２２が、コム・フィルタ２０ではなく、チャネルだけを等化することによって、１５レベル出力を作り出すことが望ましい。本発明による開示されるシステムは、この結果を達成する。
【０００８】
図１において、ＡＴＳＣ  ８−ＶＳＢ高精細度テレビジョン標準に準拠する高精細度テレビジョン信号に応答する受信器は、チャネル振幅および位相ひずみを等化するために、適応イコライザ２２を使用する。一般に使用されるイコライザ２２の構造は、ＤＦＥ２６とともに使用されるＦＦＥ２４を備える。ＦＦＥセクション２４は、単位円の外側に落ちるプレゴースト（preghost）およびチャネルゼロ（channel zeroes）を等化するために使用される。ＤＦＥセクション２６は、ポストゴースト（post-ghost）を等化するために使用される。ＦＦＥ２４／ＤＦＥ２６構造は、図１および図２においてブロック形態で示されている。
【０００９】
イコライザ２２をトレーニングするために一般に使用される技術は、イコライザ２２がある程度の収束に達するまでブラインド等化を使用し、その後、デシジョン・ダイレクテッド等化（decision-directed equalization；決定指示等化）に切り替わることである。使用されるブラインド等化の最も一般的な形態は、ＣＭＡアルゴリズムを利用して使用されている。ＣＭＡを使用すると、ＦＦＥ２４およびＤＦＥ２６係数は、以下の式を使用して更新される。
【００１０】
Ｃｎ＋１＝Ｃｎ＋αＦ＊ｅ（ｎ）＊ＸＦｎ      （ＦＦＥ更新）
Ｄｎ＋１＝Ｄｎ＋αＤ＊ｅ（ｎ）＊ＸＤｎ      （ＤＦＥ更新）
ここで、Ｃｎ＝ＦＦＥ２４係数ベクトル、Ｄｎ＝ＤＦＥ２６係数ベクトル、ＸＦｎ＝ＦＦＥ２４へのデータ・ベクトル、ＸＤｎ＝ＤＦＥ２６へのデータ・ベクトル、およびｅ（ｎ）＝ブラインド等化誤差、である。
【００１１】
ブラインド等化誤差は、以下のように計算される。
ｅ（ｎ）＝ｙ０（ｎ）＊（｜ｙ０（ｎ）｜２−Ｒ２）
ここで、ｙ０（ｎ）＝イコライザ出力（ＦＦＥ２４＋ＤＦＥ２６出力）
Ｒ２＝リング値の平方＝Ｅ（ｓ４（ｎ））／Ｅ（ｓ２（ｎ））
Ｅ（）＝（）の予測値
ｓ（ｎ）＝８ＶＳＢコンスタレーション点である。
【００１２】
コム・フィルタ２０が切り替えられて（イコライザ２２の前に）入り、イコライザ２２のタップが、上述の従来のＣＭＡアルゴリズムを使用して更新されるとき、イコライザ２２は、あるソリューション（solution）に収束し、そのソリューションによってイコライザ２２がコム・フィルタ２０および伝送チャネルの組み合わせ（combination）を等化する。その結果、８レベル・シンボル・コンスタレーションが、イコライザ２２の出力で作り出される。これらの結果は、３つの異なるゴースト（マルチパス）事例に対して図３〜図７、図８〜図１２、および図１３〜図１７に示されている。図３〜図７は、ｄｆｅ（１２）適応でのチャネル１の結果を示す。そのチャネルは、ｃ（０）＝１である。図８〜図１２は、ｄｆｅ（１２）適応でのチャネル２の結果を示す。そのチャネルは、ｃ（０）＝１、ｃ（１０）＝０．５である。図１３〜図１７は、ｄｆｅ（１２）適応でのチャネル３の結果を示す。そのチャネルは、ｃ（０）＝１、ｃ（５）＝０．６、ｃ（１３）＝−０．２である。この事例において使用されたパラメータは、表２に示される。理解されるように、イコライザ（等化器）２２出力は８レベルであり、イコライザ・タップｃ（ｎ）、ｎ＝０、１、２・・は、コム・フィルタ２０およびチャネルの組み合わせを等化している。コム・フィルタ２０の等化は、１２番目のＤＦＥタップ、ｄｆｅ（１２）を、１．０の値に設定することに帰着する。
【００１３】
以下の表は、上述したチャネル（１〜３）、および８レベル出力および１５レベル出力時のチャネル対応イコライザ・ソリューションを示している。
【００１４】
【表１】
0004834275.tif 000002
【００１５】
イコライザ２２がチャネルだけを等化して、コム・フィルタ２０を等化しないことを可能にする提案のアルゴリズムは、８および１５レベル・ソリューション特性を使用して、ＣＭＡの適応を制御する。以下の２つのチャネル伝達関数の事例を考える。（１）場所（シンボル）１２（以降ｃ（１２））でのチャネル・ゴースト値が、ゼロの場合。（２）ｃ（１２）が大きい場合。
【００１６】
事例Ｉ：場所（シンボル）１２、ｃ（１２）でのチャネル・ゴースト値が、ゼロである。
この場合、チャネル伝達関数は、以下の形態を有する。
Ｃ（ｚ）＝１＋ａ１ｚ−ｎ１＋ａ２ｚ−ｎ２＋・・・
ここで、ｎ１、ｎ２、Ｙは、１２に等しくない。
コム・フィルタに縦続接続されたチャネルは、以下の伝達関数を有する。
ＨＣ０（ｚ）＝Ｃ（ｚ）（１−ｚ−１２）
＝（１＋ａ１ｚ−ｎ１＋ａ２ｚ−ｎ２＋・・・）（１−ｚ−１２）
＝（１＋ａ１ｚ−ｎ１＋ａ２ｚ−ｎ２＋Ｙ）−ｚ−１２（１＋ａ１ｚ−ｎ１＋ａ２ｚ−ｎ２＋・・・）
＝（１＋ａ１ｚ−ｎ１＋ａ２ｚ−ｎ２＋Ｙ）＋（−ｚ−１２−ａ１ｚ−（ｎ１＋１２）＋ａ２ｚ−（ｎ２＋１２）＋・・・）
この伝達関数の特性（property）の１つは、−ｚ−１２の項を含むことである。イコライザが、チャネルとコム・フィルタとの組み合わせを等化するなら、そのとき、イコライザはＨＣ０（ｚ）を等化する。換言すれば、イコライザ伝達関数は、Ｈｅ８（ｚ）＝１／ＨＣ０（ｚ）である。イコライザ伝達関数は、その分母に−ｚ−１２の項を含む。イコライザが、前述したＦＦＥ／ＤＦＥ構造を使用して実施されたとき、ＤＦＥは、そのタップ数１２で１．０の値を有する。すなわち、ｄｆｅ（１２）＝１．０である。これは、８レベル・ソリューションの特性である。
【００１７】
ＤＦＥ出力が、組み合わされたイコライザ出力を得るためにＦＦＥ出力に加えられたなら、ｄｆｅ（１２）が１．０に収束することに留意されたい。ＤＦＥ出力が、ＦＦＥ出力から差し引かれるなら、ｄｆｅ（１２）が−１．０に収束する。この事例では、２つの出力が加えられると仮定される。同じ議論が、減算の場合に適用される。
【００１８】
イコライザが、コム・フィルタを等化しないことによって、１５レベル・ソリューションを作り出すことが望ましい。したがって、イコライザは、以下のソリューションに収束されることになる。
Ｈｅ１５（ｚ）＝１／（１＋ａ１ｚ−ｎ１＋ａ２ｚ−ｎ２＋・・・）
ここで、チャネルがシンボル数１２でゴーストを有していない、すなわちｃ（１２）＝０であり、再びｎ１、ｎ２は１２に等しくない、と仮定する。この場合、ｄｆｅ（１２）＝０である。これは、１５レベル・ソリューションの特性である。
【００１９】
要約すると、８レベル・ソリューションは、ｄｆｅ（１２）＝１．０の結果になる。ｃ（１２）＝０を仮定すると、１５レベル・ソリューションは、ｄｆｅ（１２）＝０の結果になる。８レベル・ソリューションと１５レベル・ソリューションとのこの差異は、ＣＭＡの適応を制御するために採用される。
【００２０】
１５レベル・ソリューションは、ｄｆｅ（１２）がゼロであることを必要とするので、ＣＭＡ適応の期間ｄｆｅ（１２）＝０に設定することによって、８レベル・ソリューションではなく、１５レベル・ソリューションにその適応は強制的に収束される。適応の期間にｄｆｅ（１２）＝０に設定することは、様々な方法で達成されることができる。１つの方法は、ｄｆｅ（１２）をゼロに単に初期化し、その後、それを適応させないことである。他の方法は、それをシンボルごとに適応させ、その後それをゼロに再設定（reset）することである。さらなる変形例は、それをシンボルごとに適応させるが、それが、いくつかの更新後にゼロからわずかに逸脱するので、２、３、または４シンボルごとにそれをゼロに再設定することを含む。
【００２１】
一般に、ブラインド等化モードにおいて、ＣＭＡがまず実行され、その後、ある程度の収束が達成された後、デシジョン・ダイレクテッド等化への切り替えが行われる。切り替えが行われると、ｄｆｅ（１２）が更新されることができる。事例Ｉの基本となる仮定は、チャネルがシンボル１２でエネルギーを有さないというものであるため、ＤＦＥのタップ数１２は、例えば、ライン・ノイズ、適応ノイズなどのために、小さな値だけを示す。
【００２２】
ＣＭＡ適応の期間にｄｆｅ（１２）をゼロに設定する結果は、図１８〜図２２、図２３〜図２７、および図２８〜図３２に示される。再び、これらの事例に使用されるパラメータは、表２に示される。図１８〜図２２は、ｄｆｅ（１２）がゼロに強制された状態でのチャネル１の結果を示す。そのチャネルは、ｃ（０）＝１である。図２３〜図２７は、ｄｆｅ（１２）がゼロに強制された状態でのチャネル２の結果を示す。そのチャネルは、ｃ（０）＝１、ｃ（１０）＝０．５である。図２８〜図３２は、ｄｆｅ（１２）がゼロに強制された状態でのチャネル３の結果を示す。そのチャネルは、ｃ（０）＝１、ｃ（５）＝０．６、ｃ（１３）＝−０．２である。
【００２３】
事例ＩＩ：場所（シンボル）１２、ｃ（１２）でのチャネル・ゴースト値が、ゼロでない。
【００２４】
さて、チャネルがシンボル１２でエネルギーを有している場合を考える。場合Ｉにおいて前述したアルゴリズムは、シンボル１２、ｃ（１２）でゼロに等しくないゴーストが存在するときにも作用する。しかしながら、シンボル１２でのゴーストがかなり小さくなければならないことが、シミュレーションから示された。特に、ｃ（１２）は、アルゴリズムが作用するために、メイン・チャネル・タップよりほぼ１７〜２０ｄＢ低くなければならない。ｃ（１２）が、このように記載された値より大きな場合には、アルゴリズムは、イコライザ出力誤差を収束させない。しかしながら、正確にシンボル１２で大きなエネルギーを有する可能性は、かなり低いことが予想される。
【００２５】
したがって、ＣＭＡ適応の期間ｄｆｅ（１２）＝０に設定することは、イコライザがチャネルだけを等化し、１５レベル出力を作り出すことに帰着する。
【００２６】
【表２】
0004834275.tif 000003
【００２７】
要約すると、イコライザ２２は、コム・フィルタ２０が存在しない場合、１５レベル出力か、またはコム・フィルタが存在する場合、８レベル出力に収束することができる。１５レベル出力が好ましく、この１５レベル出力は、コム・フィルタが存在するとき、ブラインド等化プロセスの期間にイコライザ・タップ１２を１（単位）の値（大きさ）に設定することによって、コム・フィルタの存在中に達成される。伝送チャネルにおけるシンボル１２にゴースト（マルチパス）が存在しないとき、コム・フィルタは、タップ１２に１の値を取らせるので、タップ１２は重要である。したがって、タップ１２の値は、８レベル出力が提供されるか、または１５レベル出力が提供されるかを決定する。チャネルがタップ１２でゼロ・エネルギーを有するとき、コム・フィルタは、知られている方法でタップ１２に影響する。他のタップに影響を与える方法は、チャネル・マルチパス（ゴースト）作用によって決定されるため、知られていない。
【００２８】
コム・フィルタが挿入されたとき、イコライザに続くトレリス・デコーダ（trellis decoder）が８レベル・モードから１５レベル・モードに切り替えるので、１５レベル出力が必要となる。
【００２９】
【発明の効果】
以上説明したように本発明によれば、同一チャネルＮＴＳＣ干渉が存在する場合の高精細度テレビジョン情報を含む信号を等化する際に、イコライザ２２が、コム・フィルタ２０ではなく、チャネルだけを等化することによって、１５レベル出力を作り出すことができる。
【図面の簡単な説明】
【図１】本発明の理解において有用なブロック図である。
【図２】本発明の理解において有用なブロック図である。
【図３】従来技術で行った試験結果で、ｃ（０）＝１のチャネル・スペクトルを示す図である。
【図４】従来技術で行った試験結果で、ｃ（０）＝１のＦＦＥタップを示す図である。
【図５】従来技術で行った試験結果で、ｃ（０）＝１のイコライザ・スペクトルを示す図である。
【図６】従来技術で行った試験結果で、ｃ（０）＝１のＤＦＥタップを示す図である。
【図７】従来技術で行った試験結果で、ｃ（０）＝１のイコライザ出力を示す図である。
【図８】従来技術で行った試験結果で、ｃ（０）＝１、ｃ（１０）＝０．５のチャネル・スペクトルを示す図である。
【図９】従来技術で行った試験結果で、ｃ（０）＝１、ｃ（１０）＝０．５のＦＦＥタップを示す図である。
【図１０】従来技術で行った試験結果で、ｃ（０）＝１、ｃ（１０）＝０．５のイコライザ・スペクトルを示す図である。
【図１１】従来技術で行った試験結果で、ｃ（０）＝１、ｃ（１０）＝０．５のＤＦＥタップを示す図である。
【図１２】従来技術で行った試験結果で、ｃ（０）＝１、ｃ（１０）＝０．５のイコライザ出力を示す図である。
【図１３】従来技術で行った試験結果で、ｃ（０）＝１、ｃ（５）＝０．６、ｃ（１３）＝−０．２のチャネル・スペクトルを示す図である。
【図１４】従来技術で行った試験結果で、ｃ（０）＝１、ｃ（５）＝０．６、ｃ（１３）＝−０．２のＦＦＥタップを示す図である。
【図１５】従来技術で行った試験結果で、ｃ（０）＝１、ｃ（５）＝０．６、ｃ（１３）＝−０．２のイコライザ・スペクトルを示す図である。
【図１６】従来技術で行った試験結果で、ｃ（０）＝１、ｃ（５）＝０．６、ｃ（１３）＝−０．２のＤＦＥタップを示す図である。
【図１７】従来技術で行った試験結果で、ｃ（０）＝１、ｃ（５）＝０．６、ｃ（１３）＝−０．２のイコライザ出力を示す図である。
【図１８】本発明で行った試験結果の比較を示し、ＣＭＡ適応の期間にｄｆｅ（１２）をゼロに設定した際の、ｃ（０）＝１のチャネル・スペクトルを示す図である。
【図１９】本発明で行った試験結果の比較を示し、ＣＭＡ適応の期間にｄｆｅ（１２）をゼロに設定した際の、ｃ（０）＝１のＦＦＥタップを示す図である。
【図２０】本発明で行った試験結果の比較を示し、ＣＭＡ適応の期間にｄｆｅ（１２）をゼロに設定した際の、ｃ（０）＝１のイコライザ・スペクトルを示す図である。
【図２１】本発明で行った試験結果の比較を示し、ＣＭＡ適応の期間にｄｆｅ（１２）をゼロに設定した際の、ｃ（０）＝１のＤＦＥタップを示す図である。
【図２２】本発明で行った試験結果の比較を示し、ＣＭＡ適応の期間にｄｆｅ（１２）をゼロに設定した際の、ｃ（０）＝１のイコライザ出力を示す図である。
【図２３】本発明で行った試験結果の比較を示し、ＣＭＡ適応の期間にｄｆｅ（１２）をゼロに設定した際の、ｃ（０）＝１、ｃ（１０）＝０．５のチャネル・スペクトルを示す図である。
【図２４】本発明で行った試験結果の比較を示し、ＣＭＡ適応の期間にｄｆｅ（１２）をゼロに設定した際の、ｃ（０）＝１、ｃ（１０）＝０．５のＦＦＥタップを示す図である。
【図２５】本発明で行った試験結果の比較を示し、ＣＭＡ適応の期間にｄｆｅ（１２）をゼロに設定した際の、ｃ（０）＝１、ｃ（１０）＝０．５のイコライザ・スペクトルを示す図である。
【図２６】本発明で行った試験結果の比較を示し、ＣＭＡ適応の期間にｄｆｅ（１２）をゼロに設定した際の、ｃ（０）＝１、ｃ（１０）＝０．５のＤＦＥタップを示す図である。
【図２７】本発明で行った試験結果の比較を示し、ＣＭＡ適応の期間にｄｆｅ（１２）をゼロに設定した際の、ｃ（０）＝１、ｃ（１０）＝０．５のイコライザ出力を示す図である。
【図２８】本発明で行った試験結果の比較を示し、ＣＭＡ適応の期間にｄｆｅ（１２）をゼロに設定した際の、ｃ（０）＝１、ｃ（５）＝０．６、ｃ（１３）＝−０．２のチャネル・スペクトルを示す図である。
【図２９】本発明で行った試験結果の比較を示し、ＣＭＡ適応の期間にｄｆｅ（１２）をゼロに設定した際の、ｃ（０）＝１、ｃ（５）＝０．６、ｃ（１３）＝−０．２のＦＦＥタップを示す図である。
【図３０】本発明で行った試験結果の比較を示し、ＣＭＡ適応の期間にｄｆｅ（１２）をゼロに設定した際の、ｃ（０）＝１、ｃ（５）＝０．６、ｃ（１３）＝−０．２のイコライザ・スペクトルを示す図である。
【図３１】本発明で行った試験結果の比較を示し、ＣＭＡ適応の期間にｄｆｅ（１２）をゼロに設定した際の、ｃ（０）＝１、ｃ（５）＝０．６、ｃ（１３）＝−０．２のＤＦＥタップを示す図である。
【図３２】本発明で行った試験結果の比較を示し、ＣＭＡ適応の期間にｄｆｅ（１２）をゼロに設定した際の、ｃ（０）＝１、ｃ（５）＝０．６、ｃ（１３）＝−０．２のイコライザ出力を示す図である。
【符号の説明】
２０  コム・フィルタ
２２  イコライザ
２４  ＦＦＥ
２６  ＤＦＥ
【図１】
0004834275.tif 000004
【図２】
0004834275.tif 000005
【図３】
0004834275.tif 000006
【図４】
0004834275.tif 000007
【図５】
0004834275.tif 000008
【図６】
0004834275.tif 000009
【図７】
0004834275.tif 000010
【図８】
0004834275.tif 000011
【図９】
0004834275.tif 000012
【図１０】
0004834275.tif 000013
【図１１】
0004834275.tif 000014
【図１２】
0004834275.tif 000015
【図１３】
0004834275.tif 000016
【図１４】
0004834275.tif 000017
【図１５】
0004834275.tif 000018
【図１６】
0004834275.tif 000019
【図１７】
0004834275.tif 000020
【図１８】
0004834275.tif 000021
【図１９】
0004834275.tif 000022
【図２０】
0004834275.tif 000023
【図２１】
0004834275.tif 000024
【図２２】
0004834275.tif 000025
【図２３】
0004834275.tif 000026
【図２４】
0004834275.tif 000027
【図２５】
0004834275.tif 000028
【図２６】
0004834275.tif 000029
【図２７】
0004834275.tif 000030
【図２８】
0004834275.tif 000031
【図２９】
0004834275.tif 000032
【図３０】
0004834275.tif 000033
【図３１】
0004834275.tif 000034
【図３２】
0004834275.tif 000035